(57)【要約】【課題】  列車ダイヤが乱れた時点から列車間隔と予想乗客数を考慮して、個々の列車に乗客を効率よく輸送させる運転整理を行うこと。【解決手段】  予め定められた駅発着の計画時刻を含む運行計画データと実際の駅発着時刻を含む運行実績データとに基づいて、列車毎に駅発着の準備が整う時刻を予測し、各列車の出発準備完了時刻における列車間隔と列車内の乗客数及び駅の乗客数とを算出し、算出された前記列車間隔と前記列車内の乗客数と前記駅の乗客数に基づいて各列車に対する運転指示を判断することによって、運転整理を行う。【選択図】図１
2006143088.tif 000002
【特許請求の範囲】
【請求項１】
予め定められた駅発着の計画時刻を含む運行計画データと、実際の駅発着時刻を含む運行実績データと、予め支障があると認定された支障列車情報を含む入力データと、に基づいて列車毎に駅発着の準備が整う時刻を予測し、予測された前記駅発着の準備が整う時刻における列車内乗客数及び駅の乗客数を推定し、前記駅発着の準備が整う時刻と前記列車内乗客数と前記駅の乗客数を含む運行予測データを生成する現状把握機能と、
前記運行予測データに基づいて、各列車の出発準備完了時刻における列車間隔と列車内の乗客数及び駅の乗客数とを算出し、算出された前記列車間隔と前記列車内の乗客数と前記駅の乗客数に基づいて各列車に対する運転指示データを生成する指示判断機能と、
を有する運転整理装置。
【請求項２】
請求項１記載の運転整理装置において、
前記入力データの前記支障列車情報は、前記運行計画データと前記運行実績データとに基づいて認識された各列車の支障発生の有無が示された情報である運転整理装置。
【請求項３】
請求項１記載の運転整理装置において、
各列車に対する入区，折返，出発，待機の指示情報を含む運転指示データに基づいて、前記指示情報に従う列車の運転を予測し、予測された前記列車の運転に基づいて、次の駅出発の準備が整う時刻と列車内の乗客数と駅の乗客数とを推定し、前記次の駅出発の準備が整う時刻と前記列車内の乗客数と前記駅の乗客数とを含む運行予測データを生成する運転整理装置。
【請求項４】
請求項３記載の運転整理装置において、
前記運行計画データと前記運行予測データとに基づいて、列車の運行を予め定められた計画に復帰するか否かを判定する計画復帰判定機能と、
前記計画復帰判定機能で、復帰すると判定された場合、前記列車を計画上の発時刻に出発させ、前記時刻以降は予め定められた計画通りに運行するよう前記列車に指示情報と前記予め定められた計画に復帰するための列車の入区，出区の指示情報とを生成する計画復帰機能とを有する運転整理装置。
【発明の詳細な説明】
【技術分野】
【０００１】
本発明は、事故や故障等により列車ダイヤが乱れた時に、個々の列車に乗客を効率よく輸送させる運転整理を行う装置に関するものである。
【背景技術】
【０００２】
運転整理とは、事故や故障等により列車ダイヤが乱れた時に、影響を受けた乗客の輸送を優先しつつ列車の運行を計画通りに戻すために列車ダイヤを変更することを言う。
【０００３】
例えば、乗客の不満を基準として列車ダイヤを変更する運転整理装置が知られている
（特許文献１参照）。このような従来の運転整理装置の考え方は、列車ダイヤを変更せずに列車の走行を予測し、遅れている後続の優等列車を待つために駅での停車時間が非常に長くなる、折返駅への到着が遅れたり到着順序が計画と異なるために計画の列車運用につけない等、列車ダイヤを変更しない場合の問題点を抽出した後、これらの問題点に対処するため、追抜駅での出発順序変更，折返駅での運用変更や運休等の列車ダイヤの変更手段を組み合わせて運転整理案を作成するものであった。
【０００４】
【特許文献１】特開２００４−２２４１１３号公報（全頁）
【発明の開示】
【発明が解決しようとする課題】
【０００５】
しかしながら、上記従来技術では、一つの問題点に対処するための運転整理案が新たに問題点を発生させる問題や、問題点の対処順によって輸送力や計画に戻る時刻に大きな差がでる問題等があり、実用的な案の作成には多くの手戻りや試行錯誤が必要であった。
【０００６】
また、事故や故障等の影響を直接受けた列車の運転が再開できる時刻が確定するまでは、列車ダイヤの問題点を予測することが難しいため、運転整理案を作成できない場合が多く、運転再開時刻が確定しても運行を計画に戻すまでの運転整理案全てを作成するまでは、手戻りや試行錯誤が発生するため、実施すべき運転整理案を提示できない場合が多く、運転整理案を作成する時間も大きな課題となっていた。
【０００７】
本発明の目的は、列車ダイヤが乱れた時点から列車間隔と予想乗客数を考慮して、個々の列車に乗客を効率よく輸送させる運転整理を行うことである。
【課題を解決するための手段】
【０００８】
本発明は、上記課題を解決するために、予め定められた駅発着の計画時刻を含む運行計画データと、実際の駅発着時刻を含む運行実績データと、予め支障であると認定された支障列車情報を含む入力データと、に基づいて列車毎に駅発着の準備が整う時刻を予測し、予測された駅発着の準備が整う時刻における列車内乗客数及び駅の乗客数を推定し、駅発着の準備が整う時刻と列車内乗客数と駅の乗客数を含む運行予測データを生成する現状把握機能と、運行予測データに基づいて、各列車の出発準備完了時刻における列車間隔と列車内の乗客数及び駅の乗客数とを算出し、算出された列車間隔と列車内の乗客数と前記駅の乗客数に基づいて各列車に対する運転指示データを生成する指示判断機能と、を有する構成とする。
【０００９】
また、各列車に対する入区，折返，出発，待機の指示情報を含む運転指示データに基づいて、指示情報に従う列車の運転を予測し、予測された列車の運転に基づいて、次の駅出発の準備が整う時刻と列車内の乗客数と駅の乗客数とを推定し、次の駅出発の準備が整う時刻と列車内の乗客数と駅の乗客数とを含む運行予測データを生成する構成とする。
【００１０】
また、運行計画データと運行予測データとに基づいて、列車の運行を予め定められた計画に復帰するか否かを判定する計画復帰判定機能と、復帰すると判定された場合、列車を計画上の発時刻に出発させ、時刻以降は予め定められた計画通りに運行するよう列車に指示情報と予め定められた計画に復帰するための列車の入区，出区の指示情報とを生成する計画復帰機能とを有する構成とする。
【発明の効果】
【００１１】
列車ダイヤが乱れた時点から列車間隔と予想乗客数を考慮して、個々の列車に乗客を効率よく輸送させる運転整理を行うことができる。
【発明を実施するための最良の形態】
【００１２】
発明の一実施形態である運転整理装置１の構成を図１に示す。
【００１３】
運転整理装置１は、運転整理案作成部２，データ入力部３，データ出力部４，データ取込部５，データ格納部６から構成されている。
【００１４】
本実施形態では、運転整理案作成部２をコンピュータに組み込む。データ取込部５には運行管理情報ＬＡＮから列車の発着時刻と使用番線の実績データを取得できる通信デバイスを用いる。また、データ入力部３としてマウスやキーボードを用いる。データ出力部４の通信機能４２を実現する装置として列車との通信装置，表示機能４１を実現する装置としてディスプレイを用いる。データ格納部６としてＨＤＤを用いる。もちろん、データ取込部５，データ入力部３，データ出力部４，データ格納部６はここに列挙した装置に限るものではない。
【００１５】
データ入力部３は、操作者が入力した入力データ１１を運転整理案作成部２に渡し、データ出力部４は、運転整理案作成部２が作成した運転指示データ１２と運行予測データ
１５を受け取り、表示機能４１を用いて操作者に、通信機能４２を用いて各列車に出力する。データ取込部５は、運行管理情報ＬＡＮが提供している運行実績データ１３を運転整理案作成部２に渡す。データ格納部６は、運行計画データ１４と運転整理案作成部２が作成した運転指示データ１２と運行予測データ１５とを格納し、必要に応じて運転整理案作成部２に渡す。
【００１６】
データの内容を図２に示す。
【００１７】
入力データ１１の内容は、支障列車１１１・再開時刻１１２・臨時出区列車１１３・臨時出区駅１１４・臨時出区時刻１１５の５項目である。支障列車１１１とは、事故や故障等の影響を直接受けて停止せざるをえなくなった列車のことである。再開時刻１１２とは、支障列車１１１が走行できるようになる時刻のことである。臨時出区列車１１３とは、運転整理をするために臨時に出区する列車のことである。臨時出区駅１１４とは、臨時出区列車１１３が出区する駅のことである。臨時出区時刻１１５とは、臨時出区列車１１３が出区する時刻のことである。
【００１８】
運転指示データ１２の内容は、指示１２１・次駅使用番線１２２の２項目である。指示１２１とは、列車が出発準備完了時刻に入区・折返・出発・待機の何をすればよいかを示したものである。次駅使用番線１２２とは、列車が次駅到着時にどの番線を使用すればよいかを示したものである。
【００１９】
運行実績データ１３の内容は、駅発時刻１３１・駅着時刻１３２・使用番線１３３の３項目である。駅発時刻１３１とは、既に駅を出発した列車の出発時刻のことである。駅着時刻１３２とは、既に駅に到着した列車の到着時刻のことである。使用番線１３３とは、既に駅に到着した列車の使用番線のことである。
【００２０】
運行計画データ１４の内容は、標準駅間走行時間１４１・標準駅停車時間１４２・標準入区時間１４３・標準折返時間１４４・駅出発の計画時刻１４５・駅到着の計画時刻146・使用番線の計画１４７・番線プロパティ１４８・発着駅別乗客数１４９・列車の最大乗車率１５６・最小運転時隔１５７・支障認識時間１５８・指示遅れ時間１５９の１３項目である。標準駅間走行時間１４１とは、列車が駅間を走行する時間の標準値である。標準駅停車時間１４２とは、列車が駅で停車する時間の標準値である。標準入区時間１４３とは、列車が駅から入区する時間の標準値である。標準折返時間１４４とは、列車が駅での折返しに必要とする時間の標準値である。駅出発の計画時刻１４５とは、計画上の列車の出発時刻である。駅到着の計画時刻１４６とは、計画上の列車の到着時刻である。使用番線の計画１４７とは、計画上の列車の使用番線のことである。番線プロパティ１４８とは、当該番線の進行方向と折返しや入区や出区の可否のことである。発着駅別乗客数１４９とは、単位時間当たりの乗客数を出発駅と目的駅の組ごとに分類したものである。列車の最大乗車率１５６とは、列車に乗れる最大の人数を定員で割った値である。最小運転時隔１５７とは、列車が駅間を標準走行時間内で安全に走行するために必要とする、地点ごとの列車間隔の最小値である。支障認識時間１５８とは、駅出発の計画時刻１４５と運行実績データ１３内の駅発時刻１３１、もしくは駅到着の計画時刻１４６と運行実績データ
１３内の駅着時刻１３２とが、当該時間以上乖離したことで支障が発生したと認識する時間である。指示遅れ時間１５９とは、現在時刻から指示を作成した場合に、列車がその指示を受けるまでに最低限必要とする時間である。
【００２１】
運行予測データ１５の内容は、駅出発の予測時刻１５１・駅到着の予測時刻１５２・出発準備完了時刻１５３・列車内乗客数１５４・積み残し乗客数１５５の５項目である。駅出発の予測時刻１５１とは、運転整理案作成部２が予測した列車の出発時刻である。駅到着の予測時刻１５２とは、運転整理案作成部２が予測した列車の到着時刻である。出発準備完了時刻１５３とは、運転整理案作成部２が予測した列車の出発準備が整う時刻である。列車内乗客数１５４とは、運転整理案作成部２が推定した列車内の乗客数である。積み残し乗客数１５５とは、乗車希望乗客数が列車の最大乗車率１５６を超えたために運転整理案作成部２で列車に乗れないと予測した乗客数である。
【００２２】
運転整理案作成部の処理内容を図３に示す。支障発生判定機能２１に組み込まれた支障発生判定処理２１０，現状把握機能２２に組み込まれた現状把握処理２２０，指示判断機能２３に組み込まれた指示判断処理２３０，将来予測機能２４に組み込まれた将来予測処理２４０，計画復帰判定機能２５に組み込まれた計画復帰判定処理２５０，計画復帰機能２６に組み込まれた計画復帰処理２６０の６段階で図２に示したデータを処理し、運転整理案を作成する。
【００２３】
支障発生判定処理２１０では、図４に示す方法で支障の発生を認識する。操作者から支障列車の入力がある（条件２１１）、駅出発の計画時刻から支障認識時間が経過しても駅発時刻を取得できない列車がある（条件２１２）、駅到着の計画時刻から支障認識時間が経過しても駅着時刻を取得できない列車がある（条件２１３）、の３条件のうちどれか１つでも成立する場合には、支障発生と認識し、運転整理案を作成するため、現状把握処理２２０に入る。
【００２４】
現状把握処理２２０では、列車ごとに駅出発の準備が整う直近の時刻を予測し、上記時刻における列車内乗客数を推定する。
【００２５】
第一に、図５に示す方法で各列車の現状を５種類に分類する。支障列車であり（条件
２２１１）、駅着時刻の実績が有りなおかつ駅発時刻の実績が無い（条件２２１２）場合は、駅支障停車中（状況２２１６）と分類する。支障列車である（条件２２１１）が、駅支障停車中と分類されない場合は、駅間支障停止中（状況２２１７）と分類する。支障列車ではなく、駅着時刻の実績が有りなおかつ駅発時刻の実績が無い（条件２２１３）、さらに駅着時刻に標準駅停車時間を加算した時刻が現在時刻に指示遅れ時間を加算した時間より遅い（条件２２１４）場合、駅停車中（状況２２１８）と分類する。支障列車ではなく、駅停車中と分類されず、次駅の使用番線に列車が在線せずになおかつ次駅未到達の先行列車がない（条件２２１５）場合、駅間走行中（状況２２１９）と分類する。上記４種類に分類されない列車は駅間停止中（状況２２２０）と分類する。
【００２６】
第二に、図６，図７に示す方法で、列車ごとに駅出発の準備が整う直近の時刻を予測する。駅支障停車中と分類された列車に関しては、出発準備完了時刻１５３ａを再開時刻
１１２ａと予測する。ただし、操作者から再開時刻の入力がない場合には未定とする。駅間支障停止中と分類された列車に関しては、再開時刻１１２ｂに前駅から次駅までの標準駅間走行時間１４１ｂを加算した時刻を次駅到着の予測時刻１５２ｂとし、出発準備完了時刻１５３ｂを次駅到着の予測時刻１５２ｂに次駅の標準駅停車時間１４２ｂを加算した時刻と予測する。ただし、操作者から再開時刻の入力がない場合には未定とする。駅停車中と分類された列車に関しては、出発準備完了時刻１５３ｃを当駅の着時刻１３２ｃに当駅の標準駅停車時間１４２ｃを加算した時刻と予測する。駅間走行中と分類された列車に関しては、前駅の発時刻１３１ｄに前駅から次駅までの標準駅間走行時間１４１ｄを加算した時刻を次駅到着の予測時刻１５２ｄとし、出発準備完了時刻１５３ｄを次駅到着の予測時刻１５２ｄに次駅の標準駅停車時間１４２ｄを加算した時刻と予測する。駅間停止中の列車に関しては、次駅到着の予測時刻１５２ｅ，出発準備完了時刻１５３ｅとも未定とする。
【００２７】
第三に、各列車内乗客数と駅乗客数を推定する。図８に、１駅と６駅とを結ぶ路線において３駅・４駅間を走行中のＢ列車内の推定乗客数を求める式２２３１と、時刻ｔにおける２駅の推定乗客数を求める式２２３２を示す。図８中の列車の運行実績は、横軸に時間、縦軸に距離を取って時刻ごとの列車位置を表した図である。このように、列車内乗客数は、運行計画データの中の発着駅別乗客数データから、出発駅が当該列車の発実績のある駅であり目的駅が着実績のない駅である単位時間当たりの乗客数を足し合わせ、これに前駅における先行列車との発時刻の差を乗算した人数と推定する。駅乗客数は、運行計画データの中の発着駅別乗客数データから、出発駅が当駅である単位時間当たりの乗客数を足し合わせ、これに現在時刻と直前に出発した列車の発時刻の差を乗算した人数と推定する。
【００２８】
最後に、各列車の列車駅発着時刻・駅到着の予測時刻・出発準備完了時刻・列車内乗客数と、各駅の駅乗客数をデータ格納部６に格納すると同時に、データ出力部４を通して操作者に出力し、指示判断処理２３０に進む。
【００２９】
指示判断処理２３０では、駅間停止中の列車と最も出発準備完了時刻の早い列車に対して指示を作成する。
【００３０】
第一に、図９に示す方法で駅間停止中の列車に対して指示を作成する。次駅未到達の先行列車が無くかつ次駅に使用可能な番線がある（条件２３１１）場合、次駅の使用番線を当該番線に変更する指示を作成する。さらに、上記判断時刻に指示遅れ時間と前駅から次駅までの標準駅間走行時間を加算した時刻を次駅到着の予測時間とし、これに次駅の標準駅停車時間を加算した時刻を当列車の出発準備完了時刻と予測する。
【００３１】
第二に、出発準備完了時刻が最も早い列車に対して指示を作成する。図１０に、１駅と６駅とを結ぶ路線において、出発準備完了時刻が時刻ｔである列車Ｘに対する指示の種類を示す。４駅の車庫に入区させる指示、３駅の方向に折返しさせる指示、５駅の方向に出発させる指示、４駅で待機させる指示である。このように、指示の種類は入区２３１・折返２３２・出発２３３・待機２３４の４種類である。列車内乗客数，駅乗客数と他列車との間隔によって、乗客輸送に対する損得を判断し、入区，折返，出発，待機を指示する。この判断は、入区判定・折返判定・出発判定の３段階で行う。
【００３２】
一つ目の入区判定は図１１に示す方法で行う。在線する番線が入区可能であり（条件
２３２１）、計画上入区予定であれば（条件２３２２）、入区せずに延長運転した場合の損得を比較（損得比較２３２３）し、損の場合に当該列車に入区を指示する。在線する番線が入区可能であり（条件２３２１）、計画上折返予定であれば（条件２３２４）、折返運休で入区した場合の損得を比較（損得比較２３２５）し、得の場合に当該列車に入区を指示する。在線する番線が入区可能であり（条件２３２１）、計画上入区予定でも折返予定でもなければ、途中打切で入区した場合の損得を比較（損得比較２３２６）し、得の場合に当該列車に入区を指示する。いずれにも当てはまらない場合、次の折返判定に進む。
【００３３】
二つ目の折返判定は図１２に示す方法で行う。なお、必ず折返して出発しなければならない端末駅では、この判定を飛ばし、次の出発判定に進む。在線する番線が折返可能であり（条件２３３１）、計画上折返予定であれば（条件２３３２）、折返しせずに延長運転した場合の損得を比較（損得比較２３３３）し、損の場合に当該列車に折返しを指示する。在線する番線が折返可能であり（条件２３３１）、計画上折返予定でなければ、途中打切で折返した場合の損得を比較（損得比較２３３４）し、得の場合に当該列車に折返しを指示する。いずれにも当てはまらない場合、次の出発判定に進む。
【００３４】
三つ目の出発判定は図１３に示す方法で行う。出発せずに待機した場合の損得を比較
（損得比較２３４１）し、損の場合に当該列車に出発を指示する。いずれにも当てはまらない場合、当該列車に待機を指示する。
【００３５】
損得比較は、計画変更によって減るコストと計画変更によって増えるコストとを比較することである。一例として、駅間停止の危険性と計画変更にかかるコストを乗客１人１分待つ単位に換算して比較する例を下記に示す。
【００３６】
損得比較２３２３では、「当駅から進行方向の端末駅まで先行列車が出発してから来る乗客（人）×後続列車との時隔（分）」と「駅間停止の危険性（人・分換算）＋計画変更にかかるコスト（人・分換算）」とを比較する。
【００３７】
損得比較２３２５では、「駅間停止の危険性（人・分換算）」と「当駅から反対方向の端末駅まで折返方向先行列車が出発してから来る乗客（人）×折返方向後続列車との時隔（分）＋計画変更にかかるコスト（人・分換算）」とを比較する。
【００３８】
損得比較２３２６では、「駅間停止の危険性（人・分換算）」と「（当駅が目的駅ではない列車内乗客（人）＋当駅から進行方向の端末駅まで先行列車が出発してから来る乗客（人））×後続列車との時隔（分）＋計画変更にかかるコスト（人・分換算）」とを比較する。
【００３９】
損得比較２３３３では、「当駅から進行方向の端末駅まで先行列車が出発してから来る乗客（人）×後続列車との時隔（分）＋折返後の駅間停止の危険性（人・分換算）」と
「当駅から反対方向の端末駅まで折返方向先行列車が出発してから来る乗客（人）×折返方向後続列車との時隔（分）＋延長後の駅間停止の危険性（人・分換算）＋計画変更にかかるコスト（人・分換算）」とを比較する。
【００４０】
損得比較２３３４では、「当駅から反対方向の端末駅まで折返方向先行列車が出発してから来る乗客（人）×折返方向後続列車との時隔（分）＋進行方向へ出発する時の駅間停止の危険性（人・分換算）」と「（当駅が目的駅ではない列車内乗客（人）＋当駅から進行方向の端末駅まで先行列車が出発してから来る乗客（人））×後続列車との時隔（分）＋折返後の駅間停止の危険性（人・分換算）＋計画変更にかかるコスト（人・分換算）」とを比較する。
【００４１】
損得比較２３４１では、「当駅から進行方向の端末駅まで待機時間の間に来る乗客(人)×後続列車との時隔（分）」と「（当駅が目的駅ではない列車内乗客（人）＋当駅から進行方向の端末駅まで先行列車が出発してから来る乗客（人））×待機時間（分）」とを比較する。
【００４２】
なお、待機時間は短ければ短いほど、緻密な運転整理案が作成できる。本実施例では、列車に対する指示としての実用性や本装置を組み込むコンピュータの性能を考慮して１分とした。また、先行列車が出発してから来る乗客は、先行列車と当該列車がともに標準駅間走行時間と標準駅停車時間に従って端末駅まで走行するとして予測した。
【００４３】
第三に、上記で作成した指示が折返しや出発の場合、次駅における使用番線を設定する。ただし、次駅までの駅間に在線中の列車や次駅で待機中の列車があり、それらの列車とは異なる番線が使える場合には、異なる番線を設定する。上記以外の場合には主使用番線を設定する。
【００４４】
最後に、列車に対する指示・次駅の使用番線をデータ格納部６に格納すると同時に、データ出力部４を通して操作者・列車に出力し、将来予測処理２４０に進む。
【００４５】
将来予測処理２４０では、図１４に示す方法で指示を受けた列車の運転を予測し、次の出発準備完了時刻，列車内乗客数と駅乗客数を予測する。
【００４６】
第一に、指示を受けた列車の次の出発準備完了時刻を予測する。入区指示を受けた列車は、入区所用時間経過後、入区するとし、以後、運転整理の対象から除外する。折返指示を受けた列車に関しては、折返所用時間経過後、折返して出発するとし、出発準備完了時刻１５３ｆに標準折返時間１４４ｆを加算した時刻を駅出発の予測時刻１５１ｆとする。駅出発の予測時刻１５１ｆに次の停車駅までの標準駅間走行時間１４１ｆを加算した時刻を次駅到着の予測時刻１５２ｆとする。次駅到着の予測時刻１５２ｆに次の駅の標準駅停車時間１４２ｆを加算した時刻を次の出発準備完了時刻とする。出発指示を受けた列車に関しては、出発準備完了時刻１５３ｇに出発するとし、出発準備完了時刻１５３ｇを駅出発の予測時刻１５１ｇとする。駅出発の予測時刻１５１ｇに次の停車駅までの標準駅間走行時間１４１ｇを加算した時刻を次駅到着の予測時刻１５２ｇとする。次駅到着の予測時刻１５２ｇに次の駅の標準駅停車時間１４２ｇを加算した時刻を次の出発準備完了時刻とする。待機指示を受けた列車に関しては、待機時間の間待機するとし、出発準備完了時刻１５３ｈに、待機時間を加算した時刻を次の出発準備完了時刻とする。
【００４７】
第二に、列車内乗客数と駅乗客数を推定する。出発指示を受けた列車の列車内乗客数は図１５に示す方法で推定する。まず、到着時の列車内乗客数１５４ｉから上記乗客のうち当駅を目的駅とする乗客数を減算、当駅で積み残されていた乗客数１５５ｉと先行列車が出発してから来る出発駅が当駅で目的駅が進行方向の停車駅である乗客数を加算し、出発時の乗車希望乗客数を推定する。次に、図１６の方法で積み残し乗客が発生するか推定する。上記乗車希望乗客数が列車の最大乗車人数を上回れば（条件２４５）、積み残し乗客が発生するとし、出発時の列車内乗客数は最大乗車人数と推定，積み残し乗客数を乗車希望乗客数から最大乗車人数を減算した人数と推定する。上回らなければ、積み残し乗客は発生しないとし、出発時の列車内乗客数は乗車希望乗客数と推定，積み残し乗客数は０人と推定する。折返指示を受けた列車に関しては、乗車希望乗客数を当駅で積み残されていた乗客数と先行列車が出発してから来る出発駅が当駅で目的駅が進行方向の停車駅である乗客数を加算した人数と推定し、後は出発指示を受けた列車と同様に出発時の列車内乗客数を推定する。また、入区指示や折返指示によって列車の運行を途中で打切る場合、当駅が目的駅ではない列車内乗客は当駅にて降車を余儀なくされるとし、積み残し乗客数に当該乗客数を加算する。
【００４８】
最後に、駅出発の予測時刻，駅到着の予測時刻，出発準備完了時刻，列車内乗客数と駅乗客数をデータ格納部６に格納すると同時に、データ出力部４を通して操作者・列車に出力し、計画復帰判定処理２５０に進む。
【００４９】
計画復帰判定処理２５０では、列車の運行を計画に戻せるか判定する。
【００５０】
再開時刻の入力がない場合、計画復帰は不可能である。全列車の中で最も早い出発準備完了時刻が終電時間を超えた時点で運転整理案作成部の処理を完了する。
【００５１】
再開時刻の入力がある場合、列車の運行を計画に戻せるか判定する。
【００５２】
第一に、列車ごとに計画復帰条件を判定する。図１７に、１駅と６駅とを結ぶ路線において列車運行の予測と計画を示す。列車Ａは５駅において列車Ｂとの間隔が最小運転時隔未満とならない範囲で計画上の発時刻に出発できる。列車Ｂも４駅において列車Ｃとの間隔が最小運転時隔未満とならない範囲で計画上の発時刻に出発できる。ただし、列車Ｃは３駅において計画上の発時刻に出発させようとすると列車Ｄとの間隔が最小運転時隔未満となる。このように、後続列車との間隔が最小運転時隔未満とならない範囲で、駅出発の時刻を遅らせて計画上の駅発時刻に出発できる場合（条件２５１）を、当該列車の計画復帰条件成立、それ以外の場合を当該列車の計画復帰条件不成立とする。この時、車両運用の一致までは考慮しないこととする。計画上は別の車両が運用に就く列車でも上記条件を満足し駅出発の時刻を合わせることができれば、計画に復帰できるとする。
【００５３】
第二に、図１８に示す方法で計画復帰の可不可を判定する。運転整理の対象としている列車本数が計画上の列車本数より多い場合（条件２５２）、計画上の全列車に対して計画復帰条件を満足する列車があれば（条件２５３）、全体の計画復帰条件成立として計画復帰処理２６０に進む。運転整理の対象としている列車本数が計画上の列車本数より多くない場合、運転整理の対象としている全列車が計画上の別々の列車に対する計画復帰条件を満足していれば（条件２５４）、全体の計画復帰条件成立として計画復帰処理２６０に進む。上記以外の場合には指示判断処理２３０に戻る。
【００５４】
計画復帰処理２６０では、計画復帰条件を満たした列車を計画上の発時刻に出発させ、上記指示以降は計画通りに運行させる指示と、計画に戻すための列車の入区・出区の指示を作成する。
【００５５】
運転整理の対象としている列車本数が計画上の列車本数より多い場合、計画復帰条件を満足する列車に対して計画上の駅発時刻に出発させる指示を作成し、満足しない列車に対しては、入区可能駅まで標準駅停車時間と標準駅間走行時間に従った運転ならびに入区可能駅で入区させる指示を作成する。上記以外の場合、計画復帰条件を満足する列車に対して計画上の駅発時刻に出発させる指示を作成し、列車が復帰しない計画には、出区可能駅から当該計画上の駅発時刻に出発できる列車の用意と用意した列車に対して計画上の駅発時刻に出発させる指示を作成する。
【００５６】
最後に、駅出発時刻の指示・入区の指示・出区の指示をデータ格納部６に格納すると同時に、データ出力部４を通して操作者・列車に出力し、運転整理案作成部の処理を完了する。
【００５７】
なお、輸送力を増やすために列車を用意できる場合、操作者は臨時出区列車・臨時出区駅・臨時出区時刻を入力する。臨時出区列車の入力がある場合には、臨時出区時刻に標準駅停車時間を加算した時刻を出発準備完了時刻として運転整理の対象列車として扱い、再度、上記と同様の手段を用いて運転整理案を作成する。
【００５８】
また、再開時刻が確定した場合、操作者は再開時刻を入力する。この場合も再度、上記と同様の手段を用いて運転整理案を作成する。
【００５９】
以上のように、支障発生認識直後から列車の運行が計画通りに戻るまで、出発準備が整う列車から順に、入区・折返・出発・待機の指示を繰り返し作成していくことによって、個々の列車に乗客を効率よく輸送させる運転整理を行うことが可能となる。
【００６０】
なお、本発明の運転整理装置は本実施例に限定されるものではなく、本発明の要旨を逸脱しない範囲内において、例えば輸送指令員や列車との通信装置等の負担を考慮し、計画復帰条件が不成立である場合でも、作成した運転整理案で指示した駅出発時刻をできる限り計画通りに変更すること等は勿論である。
【図面の簡単な説明】
【００６１】
【図１】本発明の一実施形態である運転整理装置の構成図を示す。
【図２】図１の実施形態における入力データ・運転整理データ・運行実績データ・運行計画データ・運行予測データの内容を示す。
【図３】図１の実施形態における運転整理案作成部の処理内容を示す。
【図４】図１の実施形態における支障発生判定処理内容を示す。
【図５】図１の実施形態における列車現状の分類方法を示す。
【図６】図１の実施形態における支障列車の出発準備完了時刻予測方法を示す。
【図７】図１の実施形態における支障列車以外の出発準備完了時刻予測方法を示す。
【図８】図１の実施形態における列車内乗客数と駅乗客数の推定方法を示す。
【図９】図１の実施形態における駅間停止中の列車に対する指示作成方法を示す。
【図１０】図１の実施形態における列車に対する指示の種類を示す。
【図１１】図１の実施形態における入区判定の方法を示す。
【図１２】図１の実施形態における折返判定の方法を示す。
【図１３】図１の実施形態における出発判定の方法を示す。
【図１４】図１の実施形態における次の出発準備完了時刻の予測方法を示す。
【図１５】図１の実施形態における出発指令を受けた列車に対する乗車希望乗客数推定方法を示す。
【図１６】図１の実施形態における出発時の列車内乗客数と積み残し乗客数の推定方法を示す。
【図１７】図１の実施形態における列車ごとの計画復帰条件を示す。
【図１８】図１の実施形態における計画復帰判定処理の内容を示す。
【符号の説明】
【００６２】
１…運転整理装置、２…運転整理案作成部、３…データ入力部、４…データ出力部、５…データ取込部、６…データ格納部。
【図１】
2006143088.tif 000003
【図２】
2006143088.tif 000004
【図３】
2006143088.tif 000005
【図４】
2006143088.tif 000006
【図５】
2006143088.tif 000007
【図６】
2006143088.tif 000008
【図７】
2006143088.tif 000009
【図８】
2006143088.tif 000010
【図９】
2006143088.tif 000011
【図１０】
2006143088.tif 000012
【図１１】
2006143088.tif 000013
【図１２】
2006143088.tif 000014
【図１３】
2006143088.tif 000015
【図１４】
2006143088.tif 000016
【図１５】
2006143088.tif 000017
【図１６】
2006143088.tif 000018
【図１７】
2006143088.tif 000019
【図１８】
2006143088.tif 000020